(57)【要約】【課題】ユーザが音声ガイダンスを必要としていると想定される場合にのみ、音声ガイダンスを出力し得る、血糖値計を提供する。【解決手段】血液中のグルコースの濃度を測定する血糖値計１０は、そこで行なわれる操作を検知する、操作検知部１１と、操作検知部１１によって操作が検知される前に、設定条件が満たされているかどうかを判定する、条件判定部１２と、条件判定部１２によって設定条件が満たされていると判定された場合に、操作を補助するための音声ガイダンスを出力する、音声出力部１３と、を備えている。【選択図】図２
2016137189.tif 000002
【特許請求の範囲】
【請求項１】
血液中のグルコースの濃度を測定する血糖値計であって、
当該血糖値計で行なわれる操作を検知する、操作検知部と、
前記操作検知部によって前記操作が検知される前に、設定条件が満たされているかどうかを判定する、条件判定部と、
前記条件判定部によって前記設定条件が満たされていると判定された場合に、前記操作を補助するための音声ガイダンスを出力する、音声出力部と、
を備えている、ことを特徴とする血糖値計。
【請求項２】
前記設定条件が、基準時からの経過時間が閾値以上となっていること、である、請求項１に記載の血糖値計。
【請求項３】
前記基準時が、当該血糖値計で実行された処理の実行時に設定されている、
請求項２に記載の血糖値計。
【請求項４】
当該血糖値計を保持する際の圧力を検知する、圧力センサを更に備え、
前記設定条件が、前記圧力センサで検知された圧力が閾値以上となっていること、である、請求項１に記載の血糖値計。
【請求項５】
当該血糖値計を保持するユーザの温度を測定する、温度センサを更に備え、
前記温度センサは、前記ユーザの体の一部と接触するように配置され、
前記設定条件が、前記温度センサで測定された温度が閾値以上となっていること、である、請求項１に記載の血糖値計。
【請求項６】
当該血糖値計を保持するユーザの脈拍数を計測する、脈拍センサを更に備え、
前記設定条件が、前記脈拍センサで測定された脈拍数が閾値以上となっていること、である、請求項１に記載の血糖値計。
【請求項７】
当該血糖値計に発生した振動を計測する、振動センサを更に備え、
前記設定条件が、前記振動センサで測定された振動の振動数が閾値以上となっていること、である、請求項１に記載の血糖値計。
【請求項８】
前記操作検知部が、更に、外部からの音声の入力を検知し、入力を検知した音声に対して音声認識を行なって、前記音声が表す言葉を特定し、
前記設定条件が、前記操作検知部によって特定された言葉が、設定された言葉であること、である、請求項１に記載の血糖値計。
【請求項９】
当該血糖値計を保持するユーザの水分量を測定する、水分量センサを更に備え、
前記設定条件が、前記水分量センサで測定された水分量が閾値以上となっていること、である、請求項１に記載の血糖値計。
【発明の詳細な説明】
【技術分野】
【０００１】
本発明は、血液中のグルコース濃度を測定するための血糖値計に関する。
【背景技術】
【０００２】
血糖値計、とりわけ、携帯型の血糖値計は、糖尿病患者の日々の血糖値管理に用いられることから、糖尿病患者自身が操作を行なう必要がある。但し、血糖値計に求められる操作は、単なるスイッチのオン・オフだけでなく、センサの取り付け、血液の点着、センサの廃棄、エラー処理等、多岐に渡ることから、高齢者が多い糖尿病患者にとっては操作が難しい場合がある。
【０００３】
このため、特許文献１及び２は、操作時に音声ガイダンスを出力可能な血糖値計を提案している。また、特許文献１及び２に開示されている血糖値計は、それぞれ、音声ガイダンスが周囲に聞こえてしまうのを抑制する機能も備えている。具体的には、特許文献１に開示されている血糖値計は、音量を段階的に切り換えるスイッチを備えている。特許文献２に開示されている血糖値計は、周囲の音量に応じて、音声ガイダンスの音量を調整する機能を備えている。
【０００４】
また、ユーザの中には、音声ガイダンスを必要無いと考えるユーザも存在する。このようなユーザが、特許文献１又は２に開示されている血糖値計を使用する場合は、音声ガイダンスの出力はオフに設定される。
【先行技術文献】
【特許文献】
【０００５】
【特許文献１】特開２０１３−１９２８４７号公報
【特許文献２】特開２０１３−９８０２号公報
【発明の概要】
【発明が解決しようとする課題】
【０００６】
ところで、音声ガイダンスを必要無いと考えるユーザであっても、操作を忘れてしまい、音声ガイダンスを求める場合は存在する。しかしながら、特許文献１又は２に開示されている血糖値計では、一旦、音声ガイダンスの出力をオフにすると、操作の途中で出力をオンにすることができない構成となっている。このため、このような場合、ユーザはマニュアルを確認する必要があり、ユーザにとって不便である。
【０００７】
本発明の目的は、上記問題を解消し、ユーザが音声ガイダンスを必要としていると想定される場合にのみ、音声ガイダンスを出力し得る、血糖値計を提供することにある。
【課題を解決するための手段】
【０００８】
上記目的を達成するため、本発明における血糖値計は、血液中のグルコースの濃度を測定する血糖値計であって、当該血糖値計で行なわれる操作を検知する、操作検知部と、前記操作検知部によって前記操作が検知される前に、設定条件が満たされているかどうかを判定する、条件判定部と、前記条件判定部によって前記設定条件が満たされていると判定された場合に、前記操作を補助するための音声ガイダンスを出力する、音声出力部と、を備えている、ことを特徴とする。
【０００９】
以上の特徴によれば、設定条件が満たされて初めて、音声ガイダンスが出力される。つまり、ユーザが音声ガイダンスを必要としていると想定される場合にのみ、音声ガイダンスが出力されることになる。
【００１０】
上記本発明における血糖値計においては、前記設定条件は、基準時からの経過時間が閾値以上となっていること、であるのが良い。また、この場合、前記基準時は、当該血糖値計で実行された処理の実行時に設定される。この態様によれば、ユーザが音声ガイダンスを必要としている状況に確実に対応できる。
【００１１】
また、上記本発明における血糖値計は、当該血糖値計を保持する際の圧力を検知する、圧力センサを更に備え、前記設定条件が、前記圧力センサで検知された圧力が閾値以上となっていることである、態様であっても良い。この態様による場合も、ユーザが音声ガイダンスを必要としている状況に確実に対応できる。
【００１２】
また、上記本発明における血糖値計は、当該血糖値計を保持するユーザの温度を測定する、温度センサを更に備え、前記温度センサは、前記ユーザの体の一部と接触するように配置され、前記設定条件が、前記温度センサで測定された温度が閾値以上となっていることである、態様であっても良い。この態様による場合も、ユーザが音声ガイダンスを必要としている状況に確実に対応できる。
【００１３】
また、上記本発明における血糖値計は、当該血糖値計を保持するユーザの脈拍数を計測する、脈拍センサを更に備え、前記設定条件が、前記脈拍センサで測定された脈拍数が閾値以上となっていることである、態様であっても良い。この態様による場合も、ユーザが音声ガイダンスを必要としている状況に確実に対応できる。
【００１４】
また、上記本発明における血糖値計は、当該血糖値計に発生した振動を計測する、振動センサを更に備え、前記設定条件が、前記振動センサで測定された振動の振動数が閾値以上となっていることである、態様であっても良い。この態様による場合も、ユーザが音声ガイダンスを必要としている状況に確実に対応できる。
【００１５】
また、上記本発明における血糖値計は、前記操作検知部が、更に、外部からの音声の入力を検知し、入力を検知した音声に対して音声認識を行なって、前記音声が表す言葉を特定し、前記設定条件が、前記操作検知部によって特定された言葉が、設定された言葉であることである、態様であっても良い。この態様による場合も、ユーザが音声ガイダンスを必要としている状況に確実に対応できる。
【００１６】
また、上記本発明における血糖値計は、当該血糖値計を保持するユーザの水分量を測定する、水分量センサを更に備え、前記設定条件が、前記水分量センサで測定された水分量が閾値以上となっていることである、態様であっても良い。この態様による場合も、ユーザが音声ガイダンスを必要としている状況に確実に対応できる。
【発明の効果】
【００１７】
以上のように、本発明によれば、ユーザが音声ガイダンスを必要としていると想定される場合にのみ、音声ガイダンスを出力することができる。
【図面の簡単な説明】
【００１８】
【図１】図１は、本発明の実施の形態における血糖値計の外観を示す斜視図である。
【図２】図２は、本発明の実施の形態における血糖値計の構成を示すブロック図である。
【図３】図３は、本発明の実施の形態における血糖値計の動作を示すフロー図である。
【図４】図４は、本発明の実施の形態における血糖値計の起動時の動作を具体的に示すフロー図である。
【図５】図５は、本発明の実施の形態における血糖値計の測定時の動作を具体的に示すフロー図である。
【発明を実施するための形態】
【００１９】
（実施の形態）
以下、本発明の実施の形態における血糖値計について、図１〜図５を参照しながら説明する。
【００２０】
［装置構成］
最初に、本実施の形態における血糖値計の構成について図１及び図２を用いて説明する。図１は、本発明の実施の形態における血糖値計の外観を示す斜視図である。図２は、本発明の実施の形態における血糖値計の構成を示すブロック図である。
【００２１】
図１に示すように、本実施の形態における血糖値計１０は、携帯型の血糖値計である。また、血糖値計１０においては、試料となる血液はセンサ２０を介して供給される。図１において、１０ａは、センサ２０を挿入するための挿入口を示している。また、図１において、１４は、測定結果等の情報を表示するための表示部を示し、１５は、音声を出力するためのスピーカを示している。
【００２２】
また、図２に示すように、血糖値計１０は、主に、操作検知部１１と、条件判定部１２と、音声出力部１３とを備えている。このうち、操作検知部１１は、血糖値計１０で行なわれる操作を検知する。条件判定部１２は、操作検知部１１によって操作が検知される前に、設定条件が満たされているかどうかを判定する。音声出力部１３は、条件判定部１２によって設定条件が満たされていると判定された場合に、操作を補助するための音声ガイダンスを、スピーカ１５を介して出力する。
【００２３】
このように、血糖値計１０では、設定条件が満たされて初めて、音声ガイダンスが出力される。つまり、血糖値計１０では、ユーザが音声ガイダンスを必要としていると想定される場合にのみ、音声ガイダンスが出力される。
【００２４】
ここで、血糖値計１０の構成について更に具体的に説明する。まず、図２に示すように、本実施の形態では、血糖値計１０は、上述した、操作検知部１１、条件判定部１２、音声出力部１３、表示部１４、及びスピーカ１５に加えて、更に、測定部１６を備えている。
【００２５】
測定部１６は、挿入口１０ａに挿入されたセンサ２０を介して、血液に含まれるグルコースの濃度を測定する。例えば、測定方式として、電気抵抗式が採用されている場合は、まず、測定部１６は、挿入口１０ａ内に配置された端子１７を介して、センサ１０に電圧を印加する。続いて、センサ１０に血液が点着されると、測定部１６は、点着された血液を流れる電流の値を測定する。更に、測定部１６は、測定した電流の値を、予め設定された検量線に照合して、グルコースの濃度を特定し、特定した濃度を表示部１４に出力する。これにより、表示部１４の画面には、血液に含まれるグルコースの濃度が表示される。
【００２６】
また、本実施の形態では、操作検知部１１は、例えば、血糖値計１０で行なわれる操作として、センサ１０への血液の点着、測定後のセンサ１０の排出、又は、エラーが表示された場合に必要となる操作等を検知する。そして、操作検知部１１は、操作を検知した場合は、そのことを条件判定部１２に通知する。
【００２７】
条件判定部１２は、操作検知部１１からの通知に基づいて、設定条件が満たされているかどうかを判定する。設定条件としては、例えば、「基準時からの経過時間が閾値以上となっていること」が挙げられる。この場合、条件設定部１２は、操作が検知される前に、基準時からの経過時間が閾値以上となっているかどうかを判定し、経過時間が閾値以上となっている場合は、判定結果を音声出力部１３に通知する。
【００２８】
また、この場合の設定条件における基準時は、例えば、血糖値計１０で実行された処理の実行時に設定される。更に、基準時は、操作の種類毎に設定されていても良い。加えて、閾値は、適宜設定されるが、例えば、ユーザによって自由に設定できる態様であっても良い。
【００２９】
具体的には、センサ１０への血液の点着について、「基準時」が、表示部１４の画面上に「センサに血液を点着して下さい。」と表示された時点に設定されているとする。この場合、条件判定部１２は、センサ１０への血液の点着が検知される前に、上記の表示がなされた時からの経過時間が閾値（例えば、３０秒等）以上になっているかどうかを判定する。経過時間が閾値以上である場合は、音声出力部１３は、スピーカ１５から、点着を促す音声を出力する。
【００３０】
また、センサの取り外しについて、「基準時」が、表示部１４の画面上に「センサを取り外して下さい。」と表示された時に設定されているとする。この場合、条件判定部１２は、センサ１０の挿入口１０ａからの取り外しが検知される前に、上記の表示がなされた時からの経過時間が閾値（例えば、３０秒等）以上になっているかどうかを判定する。経過時間が閾値以上である場合は、音声出力部１３は、スピーカ１５から、センサ１０の取り外しを促す音声を出力する。
【００３１】
［装置動作］
次に、本実施の形態における血糖値計１０の動作について図３を用いて説明する。図３は、本発明の実施の形態における血糖値計の動作を示すフロー図である。以下の説明においては、適宜図１及び図２を参酌する。
【００３２】
図３に示すように、まず、血糖値計１０において、表示部１４の画面へのメッセージの表示といった何らかの処理が実行される（ステップＡ１）。次に、ステップＡ１が実行されると、条件判定部１２は、実行時を基準時として経過時間のカウントを開始する（ステップＡ２）。
【００３３】
次に、条件判定部１２は、操作検知部１１によって操作が検知されているかどうかを判定する（ステップＡ３）。ステップＡ３の結果、操作が検知されている場合は、測定部１６による測定処理等が実行されるため、条件判定部１２は処理を終了する。
【００３４】
一方、ステップＡ３の結果、操作が検知されていない場合は、条件判定部１２は、設定条件が満たされているかどうか、即ち、基準時からの経過時間が閾値以上となっているかどうかを判定する（ステップＡ４）。
【００３５】
ステップＡ４の判定の結果、基準時からの経過時間が閾値以上となっていない場合は、条件判定部１２は、再度、ステップＡ３を実行する。一方、ステップＡ４の判定の結果、基準時からの経過時間が閾値以上となっている場合は、条件判定部１２は、判定結果を音声出力部１３に通知する。これにより、音声出力部１３は、操作を補助するための音声ガイダンスを、スピーカ１５を介して出力する（ステップＡ５）。ステップＡ５の実行後、処理は一旦終了する。
【００３６】
但し、ステップＡ１〜Ａ５は、血糖値計１０が起動している間は、繰り返し実行される。つまり、血糖値計１０において何らかの処理（ステップＡ１）が実行される度に、それに続くステップＡ２〜Ａ５が実行される。
【００３７】
以上のように本実施の形態では、ユーザによる操作がもたもたしている場合は、血糖値計１０によって音声ガイダンスが出力されるが、そうでない場合は、血糖値１０によって音声ガイダンスが出力されることはない。つまり、血糖値計１０によれば、ユーザが音声ガイダンスを必要としていると想定される場合にのみ、音声ガイダンスを出力することができる。
【００３８】
［具体例］
ここで、図４及び図５を用いて、血糖値計１０における動作を更に具体的に説明する。まず、図４を用いて、血糖値計１０の起動時の動作について説明する。図４は、本発明の実施の形態における血糖値計の起動時の動作を具体的に示すフロー図である。
【００３９】
まず、ユーザが、血糖値を測定するために、センサ１０を挿入口１０ａに挿入する。これにより、図４に示すように、血糖値計１０の電源が入り、測定部１６は、表示部１４に、「センサに血液を点着して下さい。」といったメッセージを表示させる（ステップＢ１）。
【００４０】
次に、ステップＢ１が実行されると、条件判定部１２は、メッセージ表示の実行時を基準時として経過時間のカウントを開始する（ステップＢ２）。
【００４１】
次に、条件判定部１２は、操作検知部１１によって血液の点着が検知されているかどうかを判定する（ステップＢ３）。具体的には、操作検知部１１は、測定部１６がセンサ１０を流れる電流の値を測定すると、血液が点着されたと判断して、点着の検知を条件判定部１２に通知する。よって、条件判定部１２は、この通知を受けた場合は、血液の点着が検知されていると判定する。
【００４２】
ステップＢ３の結果、血液の点着が検知されている場合は、測定部１６による測定処理等が実行されるため、条件判定部１２は処理を終了する。一方、ステップＢ３の結果、血液の点着が検知されていない場合は、条件判定部１２は、基準時からの経過時間が閾値以上となっているかどうかを判定する（ステップＢ４）。
【００４３】
ステップＢ４の判定の結果、基準時からの経過時間が閾値以上となっていない場合は、条件判定部１２は、再度、ステップＢ３を実行する。一方、ステップＢ４の判定の結果、基準時からの経過時間が閾値以上となっている場合は、条件判定部１２は、判定結果を音声出力部１３に通知する。これにより、音声出力部１３は、「血液を点着して下さい」といった音声を、スピーカ１５を介して出力する（ステップＢ５）。
【００４４】
続いて、図５を用いて、血糖値計１０の測定時の動作について説明する。図５は、本発明の実施の形態における血糖値計の測定時の動作を具体的に示すフロー図である。
【００４５】
まず、測定部１６が、センサ２０を介して、血液に含まれるグルコースの濃度が測定される。これにより、図５に示すように、測定部１６は、表示部１４に「センサを排出して下さい。」といったメッセージを表示させる（ステップＣ１）。
【００４６】
次に、ステップＣ１が実行されると、条件判定部１２は、メッセージ表示の実行時を基準時として経過時間のカウントを開始する（ステップＣ２）。
【００４７】
次に、条件判定部１２は、操作検知部１１によってセンサの排出が検知されているかどうかを判定する（ステップＣ３）。具体的には、操作検知部１１は、センサ１０が所定の位置に挿入されたときにオンとなるスイッチ（図１及び図２において図示せず）がオフとなっていると、センサ１０が排出されたと判断して、センサ１０の排出の検知を条件判定部１２に通知する。よって、条件判定部１２は、この通知を受けた場合は、センサの排出が検知されていると判定する。
【００４８】
ステップＣ３の結果、センサ１０の排出が検知されている場合は、条件判定部１２は処理を終了する。一方、ステップＣ３の結果、センサ１０の排出が検知されていない場合は、条件判定部１２は、基準時からの経過時間が閾値以上となっているかどうかを判定する（ステップＣ４）。
【００４９】
ステップＣ４の判定の結果、基準時からの経過時間が閾値以上となっていない場合は、条件判定部１２は、再度、ステップＣ３を実行する。一方、ステップＣ４の判定の結果、基準時からの経過時間が閾値以上となっている場合は、条件判定部１２は、判定結果を音声出力部１３に通知する。これにより、音声出力部１３は、「センサを排出して下さい」といった音声を、スピーカ１５を介して出力する（ステップＣ５）。
【００５０】
［変形例１］
続いて、本実施の形態における血糖値計１０の変形例について以下に説明する。まず、本実施の形態においては、血糖値計１０は、それをユーザが保持する際の圧力を検知する、圧力センサを備えていても良い。この場合、設定条件として、「圧力センサで検知された圧力が閾値以上となっていること」を用いることができるので、ユーザが焦って血糖値計１０を強く握りしめると、音声ガイダンスが出力されることになる。
【００５１】
［変形例２］
また、本実施の形態において、血糖値計１０は、それを保持するユーザの温度を測定する、温度センサを備えていても良い。この場合、温度センサは、ユーザの体の一部、例えば指と接触するように配置される。また、設定条件としては、「温度センサで測定された温度が閾値以上となっていること」を用いることができるので、ユーザの体温が焦り等によって上昇すると、音声ガイダンスが出力されることになる。
【００５２】
［変形例３］
また、本実施の形態において、血糖値計１０は、それを保持するユーザの脈拍数を計測する、脈拍センサを備えていても良い。この場合、設定条件としては、「脈拍センサで測定された脈拍数が閾値以上となっていること」を用いることができるので、ユーザの心拍数が焦り等によって上昇すると、音声ガイダンスが出力されることになる。なお、脈拍センサは、ユーザに取り付けられていても良く、その場合は、脈拍センサと血糖値計１０とは、有線又は無線によってデータ通信が可能となるように接続される。
【００５３】
［変形例４］
更に、本実施の形態においては、血糖値計１０は、それに発生した振動を計測する、振動センサを備えていても良い。この場合、設定条件としては、「振動センサで測定された振動の振動数が閾値以上となっていること」を用いることができるので、ユーザの手が焦り等によって震えると、音声ガイダンスが出力されることになる。
【００５４】
［変形例５］
また、本実施の形態において、操作検知部１１は、更に、外部から音声が入力された場合に、この音声の入力を検知する機能と、入力を検知した音声に対して音声認識を行なって、音声が表す言葉を特定する機能とを有していても良い。この場合、設定条件としては、「操作検知部１１によって特定された言葉が、設定された言葉であること」を用いることができるので、ユーザが声に出して音声ガイダンスを求める等した場合に、音声ガイダンスが出力されることになる。
【００５５】
［変形例６］
更に、本実施の形態において、血糖値計１０は、それを保持するユーザの水分量を測定する、水分量センサを更に備えていても良い。この場合、設定条件としては、「水分量センサで測定された水分量が閾値以上となっていること」を用いることができるので、ユーザの手が焦り等によって汗ばむと、音声ガイダンスが出力されることになる。
【産業上の利用可能性】
【００５６】
以上のように、本発明によれば、血糖値計を操作するユーザが、音声ガイダンスを必要としていると想定される場合にのみ、音声ガイダンスを出力することができる。本発明は、特に携帯型の血糖値計に有効である。
【符号の説明】
【００５７】
１０  血糖値計
１０ａ  挿入口
１１  操作検知部
１２  条件判定部
１３  音声出力部
１４  表示部
１５  スピーカ
１６  測定部
１７  端子
２０  センサ
【図１】
2016137189.tif 000003
【図２】
2016137189.tif 000004
【図３】
2016137189.tif 000005
【図４】
2016137189.tif 000006
【図５】
2016137189.tif 000007